(57)【要約】  本開示は、ズームレンズ用のカムフォロアに関し、特に、例えば、ズームレンズが衝撃を受けた場合に、ズームレンズの損傷を低減するために最適化されたカムフォロアに関する。【選択図】図１
2021504769.tif 000002
【特許請求の範囲】
【請求項１】
ズームレンズ用のカムフォロアであって、前記カムフォロアは、前記ズームレンズ内の第１のカム溝内を摺動するように構成された本体であって、４つの側面、上面および底面を含む直方体によって画定された本体を備え、２つの第１の対向する側面は、２つの第１の円筒形セグメントに接続され、その結果、前記２つの第１の円筒形セグメントは、第１の対の表面を画定し、前記第１の対の表面の少なくとも一部は、前記第１のカム溝の側壁と接触するように適合され、前記２つの第１の円筒形セグメントは、第１の曲率半径によって画定され、前記第１の曲率半径は前記上面の中心から前記上面の角部までの距離より大きく、および／または前記第１の曲率半径は前記底面の中心から前記底面の角部までの距離より大きい、カムフォロア。
【請求項２】
前記第１の曲率半径は、前記ズームレンズが衝撃を受けた場合に、前記第１の対の表面の少なくとも一方が前記第１のカム溝の前記側壁の少なくとも一方との接触により変形し、前記第１の曲率半径が前記上面の中心から前記上面の角部までの距離以下であり、および／または前記底面の中心から前記底面の角部までの距離以下である場合よりも急速に、前記表面と第１のカム溝の側壁との接触面積が増加するように選択される、請求項１に記載のカムフォロア。
【請求項３】
前記第１の曲率半径は、Ｒ１０ｍｍ〜Ｒ１００、好ましくはＲ３０ｍｍ〜Ｒ８０、より好ましくはＲ４０〜Ｒ６０、最も好ましくは約Ｒ５０である、請求項１〜請求項２のいずれかに記載のカムフォロア。
【請求項４】
前記２つの第２の対向する側面は、２つの第２の２つの第２の円筒形セグメントに接続され、その結果、前記２つの第２の円筒形セグメントは第２の対の表面を画定し、前記第２の対の表面の一方は第１の端面を画定し、前記第１の端面の少なくとも一部は前記第１のカム溝の第１の端壁と接触するように適合され、前記第２の対の表面の他方は第２の端面を画定し、前記第２の端面の少なくとも一部は前記第１のカム溝の第２の端壁と接触するように適合され、前記２つの第２の円筒形セグメントは、第２の曲率半径によって画定され、前記第２の曲率半径は前記上面の中心から前記上面の角部までの距離より大きく、および／または前記第２の曲率半径は前記底面の中心から前記底面の角部までの距離よりも大きい、請求項１〜請求項３のいずれかに記載のカムフォロア。
【請求項５】
前記第２の曲率半径は、前記ズームレンズが衝撃を受けた場合に、前記第２の対の表面の少なくとも一方が前記第１のカム溝の前記端壁の少なくとも一方との接触により変形し、前記第２の曲率半径が前記上面の中心から前記上面の角部までの距離以下であり、および／または前記第２の曲率半径が前記底面の中心から前記底面の角部までの距離以下である場合よりも急速に、前記表面と前記第１のカム溝の前記端壁との接触面積が増加するように選択される、請求項４に記載のカムフォロア。
【請求項６】
前記第１の曲率半径と前記第２の曲率半径は等しい、請求項４〜請求項５のいずれかに記載のカムフォロア。
【請求項７】
前記第１の対の表面および前記第２の対の表面は、閉面を形成し、前記閉面は、曲線長方形を形成する、より好ましくは曲線正方形を形成する曲線に追従する、請求項１〜請求項６のいずれかに記載のカムフォロア。
【請求項８】
前記４つの側面の角部は、共通の曲率半径で丸められる、請求項１〜請求項７のいずれかに記載のカムフォロア。
【請求項９】
前記共通の曲率半径は、前記ズームレンズが衝撃を受けた場合に、少なくとも１つの角部が前記第１のカム溝の前記側壁または前記端壁のうちの少なくとも一方との接触により変形し、前記角部が曲率を持たない場合よりも急速に、前記角部と前記第１のカム溝の前記端壁または前記側壁との接触面積が増加するように選択される、請求項８に記載のカムフォロア。
【請求項１０】
前記共通の曲率半径は、Ｒ０．１ｍｍ〜Ｒ１０ｍｍ、より好ましくはＲ１ｍｍ〜Ｒ２ｍｍ、最も好ましくは約Ｒ１．５ｍｍである、請求項８〜請求項９のいずれかに記載のカムフォロア。
【請求項１１】
前記第１の対の側面は、前記第１のカム溝内で摺動するように適合され、前記第１のカム溝は、直線状である、請求項１〜請求項１０のいずれか一項に記載のカムフォロア。
【請求項１２】
前記本体は、前記直方体内に、前記カムフォロアを前記第１のカム溝内で固定するピンのための中央孔をさらに備える、請求項１〜請求項１１のいずれかに記載のカムフォロア。
【請求項１３】
ズームレンズ用カムフォロアセットであって、請求項１に記載のカムフォロアと、第１のカム溝の下方の第２のカム溝内を転動するように構成されたローラと、前記カムフォロアおよび前記ローラを前記ズームレンズ内で並進される光学素子に接続するピンとを備える、カムフォロアセット。
【請求項１４】
請求項１に記載のカムフォロアを備える、ズームレンズ。
【請求項１５】
請求項１３に記載のカムフォロアセットをさらに備える、請求項１４に記載のズームレンズ。
【発明の詳細な説明】
【技術分野】
【０００１】
本発明は、ズームレンズ用のカムフォロアに関し、特に、例えば、ズームレンズが衝撃を受けた場合に、ズームレンズの損傷を低減するために最適化されたカムフォロアに関する。
【背景技術】
【０００２】
従来、光学ズームレンズは、移動可能なレンズ枠を有する鏡筒を有している。機構は、カム溝とカムフォロアとを組み合わせて、レンズ枠を駆動させる。典型的には、カム溝は光軸に対して斜めに延在し、カムフォロアはカム溝と係合し、したがって、カムフォロアは自由に摺動し得る。ほとんどのズームレンズでは、レンズ枠および／またはカム溝は、衝撃時に、例えば、ズームレンズが落下した場合に変形する可能性がある。ズームレンズを衝撃から保護するための様々な解決策がある。例えば、ズームレンズは、例えば、カム溝の強度を向上させるために、硬質材料で作製され得る。しかしながら、ズームレンズは、用途に応じて様々な衝撃を受けることがある。いくつかの用途では、ズームレンズは、大きな力を受けるまたは付与するデバイスに結合され得るので、大きな力で揺れるまたは振動することがある。このような状況下では、典型的なズームレンズは損傷を受けることになる。例えば、カム溝は、典型的にはピンに結合されたカムフォロアからの力によって、凹みを生じ得る。このような力を受けると、ピンが凹みを通過するときに、画像が揺れ、円滑なズーム操作を実行することが困難となる。ほとんどの状況において、円滑なズーム操作が望まれる。非常に特殊な状況は、ズームレンズが火器に結合され、火器のボアサイトと位置合わせされる場合である。このような特殊な状況では、ズームレンズ光軸は、ズーミングの間、火器のボアサイトに完全に追従しなければならない。そうでなければ、これは、命に関わる問題となり得る。したがって、高耐衝撃性ズームレンズの需要が高い。
【発明の概要】
【発明が解決しようとする課題】
【０００３】
本発明の目的は、例えば、火器からの衝撃に対して、高耐衝撃性を有するズームレンズを提供することである。
【０００４】
本発明は、提示された欠点を解決し、第一に、例えば、火器からの外力を伝達し、カム溝が損傷を受けないように力を分散させることができるカムフォロアを提供する。
【課題を解決するための手段】
【０００５】
本開示は、第１の態様において、ズームレンズ用のカムフォロアであって、ズームレンズ内の第１のカム溝内を摺動するように構成された本体を備えるカムフォロアに関する。第１の実施形態では、本体は、４つの側面、上面および底面を含む直方体によって画定され、２つの第１の対向する側面は、２つの第１の円筒形セグメントに接続され、その結果、２つの第１の円筒形セグメントは第１の対の表面を画定し、第１の対の表面の少なくとも一部は第１のカム溝の側壁と接触するように適合される。２つの第１の円筒形セグメントは、第１の曲率半径によって画定され得る。すなわち、上面および／または底面に平行な断面は、前記第１の曲率半径によって画定された円の２つの第１の対向する扇形と、前記第２の曲率半径によって画定された円の２つの第２の対向する扇形とを有することによって定義される。側面が交わる本体の角部は、好ましくは丸みを帯びている。好適な実施形態では、第１の曲率半径は、上面の中心から上面の角部までの距離よりも大きく、および／または第１の曲率半径は、底面の中心から底面の角部までの距離よりも大きい。
【０００６】
第１の対の表面は、第１のカム溝の側壁と接触するように適合されるので、第１の対向する側面は、ほとんどの実施形態において、第１のカム溝の側壁に対して平行である。
【０００７】
カムフォロアの好適な実施形態では、第１の曲率半径は、ズームレンズが衝撃を受けた場合に、第１の対の表面の少なくとも一方が第１のカム溝の側壁の少なくとも一方との接触により変形し、第１の曲率半径が上面の中心から上面の角部までの距離以下であり、および／または底面の中心から底面の角部までの距離以下である場合よりも急速に、前記表面と第１のカム溝の側壁との接触面積が増加するように選択される。
【０００８】
円筒形セグメントを有することにより、接触面積は、円筒形セグメントの高さおよび直方体の高さに応じて増加する。
【０００９】
第１の曲率半径が上面の中心から上面の角部までの距離と等しい、および／または第１の曲率半径が底面の中心から底面の角部までの距離と等しくなるように、円筒形要素が直方体と合致している場合、衝撃は、ズームレンズ、特に、カム溝に対して深刻な損傷作用をもたらすことになる。
【００１０】
したがって、本開示は、衝撃に適応可能であり、さらに高耐衝撃性を有するカムフォロアを提供する。
【００１１】
本開示は、第２の態様では、第１の態様に係るカムフォロアと、第１のカム溝の下方の第２のカム溝内を転動するように構成されたローラと、カムフォロアおよびローラをズームレンズ内で並進される光学素子に接続するピンとを備える、ズームレンズ用のカムフォロアセットに関する。
【００１２】
最後に、本開示は、第３の態様において、第１の態様に係るカムフォロアを備えるズームレンズに関する。
【図面の簡単な説明】
【００１３】
【図１】例示的なカムフォロアの斜視図である。
【図２】例示的なカムフォロアの側面図である。
【図３】例示的なカムフォロアの平面図である。
【発明を実施するための形態】
【００１４】
本開示は、例えば火器からの衝撃に対して、高耐衝撃性を有するズームレンズに関する。ズームレンズの一部は、カム溝およびそのカムフォロアを備える。本発明の第１の態様は、ズームレンズ用のカムフォロアに関する。カムフォロアについて、以下で詳細に説明する。
【００１５】
「直方体」という用語は、本明細書では、単語についての標準的な理解において使用される。Ｗｉｋｉｐｅｄｉａによれば、直方体は、６つの四辺形面によって境界付けられた凸多面体であり、その多面体グラフは立方体グラフと同じである。長方形は、直方体の一例である。したがって、本開示で使用され得る直方体の例は、長方形直方体、直角直方体、長方形ボックス、長方形六面体、直角長方形角柱、または長方形平行六面体である。長方形直方体において、全ての角度は直角であり、直方体の対向する面は等しい。定義により、これは、直角長方形角柱になる。立方体は、６つの面全てが正方形である正方形直方体の特殊なケースである。
第１の対の表面および第１の曲率半径
【００１６】
カムフォロアの一実施形態では、第１の曲率半径は、ズームレンズが衝撃を受けた場合に、第１の対の表面の少なくとも一方が第１のカム溝の側壁の少なくとも一方との接触により変形し、第１の曲率半径が上面の中心から上面の角部までの距離以下であり、および／または底面の中心から底面の角部までの距離以下である場合よりも急速に、前記表面と第１のカム溝の側壁との接触面積が増加するように選択される。
【００１７】
カムフォロアの第２の実施形態では、第１の曲率半径は、Ｒ１０ｍｍ〜Ｒ１００、好ましくはＲ３０ｍｍ〜Ｒ８０、より好ましくはＲ４０〜Ｒ６０、最も好ましくは約Ｒ５０である。
第２の対の表面および第２の曲率半径
【００１８】
カムフォロアの一実施形態では、２つの第２の対向する側面は、２つの第２の２つの第２の円筒形セグメントに接続され、その結果、２つの第２の円筒形セグメントは第２の対の表面を画定し、第２の対の表面の一方は第１の端面を画定し、前記第１の端面の少なくとも一部は第１のカム溝の第１の端壁と接触するように適合され、第２の対の表面の他方は第２の端面を画定し、前記第２の端面の少なくとも一部は第１のカム溝の第２の端壁と接触するように適合され、２つの第２の円筒形セグメントは、第２の曲率半径によって画定され、第２の曲率半径は上面の中心から上面の角部までの距離より大きく、および／または第２の曲率半径は底面の中心から底面の角部までの距離よりも大きい。
【００１９】
カムフォロアの第２の実施形態では、第２の曲率半径は、ズームレンズが衝撃を受けた場合に、第２の対の表面の少なくとも一方が第１のカム溝の前記端壁の少なくとも一方との接触により変形し、第２の曲率半径が上面の中心から上面の角部までの距離以下であり、および／または第２の曲率半径が底面の中心から底面の角部までの距離以下である場合よりも急速に、前記表面と前記第１のカム溝の前記端壁との接触面積が増加するように選択される。
【００２０】
カムフォロアの第３の実施形態では、第２の曲率半径は、Ｒ１０ｍｍ〜Ｒ１００、好ましくはＲ３０ｍｍ〜Ｒ８０、より好ましくはＲ４０〜Ｒ６０、最も好ましくは約Ｒ５０である。
【００２１】
カムフォロアの好適な実施形態では、第１の曲率半径と第２の曲率半径は等しい。
【００２２】
上述の曲率半径により、カム溝の損傷を低減し、さらには回避するための最適形状が得られることが分かっている。
【００２３】
カムフォロアの最も好適な実施形態では、第１の対の表面および第２の対の表面は、閉面を形成し、閉面は、曲線長方形を形成する、より好ましくは曲線正方形を形成する閉曲線に追従する。本発明によれば、直方体は、長方形または正方形の曲線を形成する。いくつかの閉曲線が、直方体の長さに沿って形成され得る。直方体は、円筒形セグメントを有する直方体であるので、直方体の長さに沿ったいくつかの曲線は同一である。２つの第１の円筒形セグメントは、２つの第２の円筒形セグメントとともに、曲線長方形または曲線正方形の湾曲した部分を形成する。
【００２４】
曲線正方形は、直角で交差する４つの曲線によって形成される平面的な幾何学的図形として定義されるので、連続的区分は、多数の区分の限界において正方形を形成する。このような形状により、カム溝の損傷を低減し、さらには回避するためのさらなる最適形状が得られることが分かっている。
【００２５】
上述の説明から理解されるように、カムフォロアは円筒ではない。カムフォロアは、変形した通常の円筒であると説明されることがあり、この場合、曲率半径は、通常の円筒と同一ではない。換言すれば、第１および第２の対の表面の周囲の閉曲線の面積は、閉曲線内に画定される囲み円よりも大きい。
角部
【００２６】
カムフォロアの好適な実施形態では、４つの側面の角部は、共通の曲率半径で丸められる。この実施形態では、その形状は、曲線長方形または曲線正方形として定義可能な形状ではなく、むしろ、曲線長方形または曲線正方形の４つの曲線が直角で交差するのではなく湾曲部で互いにつながった、変形した曲線長方形または曲線正方形である。したがって、この実施形態では、カムフォロアは、直角で交差しない８つの曲線を含む。８つの曲線は、共通の円を形成しない。この実施形態から、カムフォロアがカム溝に沿った複数の方向および位置からの耐衝撃性をもたらすことが分かっている。
【００２７】
カムフォロアのより好適な実施形態では、共通の曲率半径は、ズームレンズが衝撃を受けた場合に、少なくとも１つの角部が第１のカム溝の側壁または端壁のうちの少なくとも一方との接触により変形し、角部が曲率を持たない場合よりも急速に、前記角部と第１のカム溝の前記端壁または前記側壁との接触面積が増加するように選択される。
【００２８】
カムフォロアの最も好適な実施形態では、共通の曲率半径は、Ｒ０．１ｍｍ〜Ｒ１０ｍｍ、より好ましくはＲ１ｍｍ〜Ｒ２ｍｍ、最も好ましくは約Ｒ１．５ｍｍである。
【００２９】
上述の角部は、カム溝の損傷を低減し、さらには回避するためのさらなる最適形状をもたらすことが分かっている。
材料、寸法および固定具
【００３０】
カムフォロアの一実施形態では、本体は、鋼製、好ましくはステンレス鋼製、より好ましくはステンレス鋼３１６製である。この材料は、衝撃時の変形を改善し、ひいてはカム溝の損傷を低減する剛性または硬度を有する。さらに、この材料は、ズームレンズが水および湿度に曝されるような過酷な環境に対して堅牢である。
【００３１】
カムフォロアのいくつかの実施形態では、第１の対の表面間および／または第２の対の表面間の距離は、２ｍｍ〜４０ｍｍである。
【００３２】
カムフォロアのいくつかの他の実施形態では、直方体の２つの角部間の距離は、５ｍｍ〜６０ｍｍである。
【００３３】
カムフォロアの好適な実施形態では、第１の対の側面は、第１のカム溝内で摺動するように適合され、この場合、第１のカム溝は直線状である。カムフォロアが第１のカム溝の一端から反対端まで、特に円滑に、移動するときに、ズーミングが達成される。好ましくは、カムフォロアは、火器のボアサイトに沿って移動する。
【００３４】
カムフォロアの最も好適な実施形態では、カムフォロアの高さは、２ｍｍ〜４０ｍｍである。カムフォロアの高さは、衝撃時のカムフォロアのカム溝への損傷を低減するように選択され得る。カムフォロアの高さが高いほど、カム溝の側面の損傷は小さくなる。これは、カムフォロアの高さに比例して、カム溝の側面のいずれかとの接触面積が大きくなるためである。より具体的には、これは、カムフォロアが高さに沿って直線状であるためである。換言すれば、カムフォロアは、直方体の形状に追従する。換言すれば、カムフォロアは、非円錐状に形成される。本発明者らは、円錐形カムフォロアが、非円錐形カムフォロアと比較して、カムフォロアとカム溝の側面のいずれかとの接触面積がはるかに小さいことに気付いた。したがって、非円錐形カムフォロアは、カム溝に沿った損傷のようなズームレンズの衝撃損傷を低減するのに、より効率的である。
【００３５】
カムフォロアのほとんどの実施形態では、本体は、直方体内に、カムフォロアを第１のカム溝内で固定するピンのための中央孔をさらに備える。このことにより、カムフォロアを光学素子に接続することができ、さらに光学素子を安定化させることができる。その結果、最終的には、ピン、ひいてはカムフォロアが移動したときに、光学素子が移動することができるようになる。
ズームレンズ
【００３６】
ズームレンズの一実施形態において、ズームレンズは、本発明の第２の態様に係るカムフォロアをさらに備える。
【００３７】
ズームレンズの好適な実施形態では、光学素子は、複数のカムセット、最も好ましくは３つのカムセットに接続される。複数のカムセットを有することにより、ズームレンズ内の光学素子のより安定した構成が可能になる。このことは、ズームレンズが、例えば大きな衝撃を受ける場合に、非常に重要である。
【００３８】
さらに、ほとんどの実施形態では、ズームレンズは、火器に結合され得る。したがって、このような実施形態では、光学素子が火器のボアサイトに追従することが非常に重要である。複数のカムセットを有することにより、火器のボアサイトに対する光学素子の位置合わせが改善され得る。
【００３９】
ズームレンズのほとんどの実施形態では、ズームレンズは、直線状カム溝を備える第１のバレルと、第１のバレルの内側に配置された第２のバレルであって、曲線状カム溝を備える第２のバレルとを備える。この構成は、ズームレンズ内の光学素子を駆動するための直線運動を可能にし得る。直線運動は、ズームレンズが火器の射撃方向に結合され、このことにより、１つの共通方向に沿った射撃およびズーミングが容易になるため、好ましい。
実施例１−斜め方向から見たカムフォロア
【００４０】
図１は、本発明に係るズームレンズ２のカムフォロア１の一例を示す斜視図である。図１には、ズームレンズ２の一部のみが示されている。カムフォロア１は、ズームレンズ２内の第１のカム溝４内を摺動するように構成された本体３を備え、本体３は、４つの側面（５ａ、５ｂ、５ｃ、５ｄ）、上面６、および底面７を含む直方体によって画定される。２つの第１の対向する側面（５ａと５ｃ、または５ｂと５ｄ）は、２つの第１の円筒形セグメント（５ａａと５ｃｃ、または５ｂｂと５ｄｄ）（この図では、２つの第１の円筒形セグメントは側面と区別できない）に接続され、その結果、２つの第１の円筒形セグメント（５ａａと５ｃｃ、または５ｂｂと５ｄｄ）は、第１の対の表面（５ａａａと５ｃｃｃ、または５ｂｂｂと５ｄｄｄ）を画定し、第１の対の表面（５ａａａと５ｃｃｃ、または５ｂｂｂと５ｄｄｄ）の少なくとも一部は第１のカム溝４の側壁７ａ、７ｂと接触するように適合される。したがって、この場合、側壁と接触する第１の対の表面は、５ｂｂｂと５ｄｄｄである。２つの第１の円筒形セグメント（したがって５ｂｂと５ｄｄ）は、第１の曲率半径によって画定され、第１の曲率半径は、上面６の中心８ａから上面６の角部（９ａ、９ｂ、９ｃ、または９ｄ）までの距離より大きく、および／または第１の曲率半径は、底面７の中心８ｂから底面７の角部（９ａ、９ｂ、９ｃ、または９ｄ）までの距離より大きい。
【００４１】
さらに、２つの第２の対向する側面（この場合、表面５ａと５ｃ）は、２つの第２の２つの第２の円筒形セグメント５ａａと５ｃｃに接続され、その結果、２つの第２の円筒形セグメントは、第２の対の表面５ａａａと５ｃｃｃを画定し、第２の対の表面の一方５ｃｃｃは第１の端面を画定し、前記第１の端面の少なくとも一部は第１のカム溝４の第１の端壁１０と接触するように適合され、第２の対の表面の他方５ａａは第２の端面を画定し、前記第２の端面の少なくとも一部は第１のカム溝の第２の端壁（ここでは図示せず）と接触するように適合される。２つの第２の円筒形セグメント５ａａと５ｃｃは、第２の曲率半径によって画定され、第２の曲率半径は、上面の中心８ａから上面６の角部（９ａ、９ｂ、９ｃ、または９ｄ）までの距離より大きく、および／または第２の曲率半径は、底面７の中心８ｂから底面の角部（９ａ、９ｂ、９ｃ、または９ｄ）までの距離より大きい。
【００４２】
また、図１から分かるように、上面および底面に接続された４つの側面（５ａ、５ｂ、５ｃ、および５ｄ）の角部（９ａ、９ｂ、９ｃ、または９ｄ）は、ひいては、上面および底面の角部も、共通の曲率半径で丸められる。
【００４３】
図１にさらに示されているように、第１の対の側面（５ｂｂｂと５ｄｄｄ）は、第１のカム溝４内で摺動するように適合され、第１のカム溝４は、直線状である。
【００４４】
本体３は、直方体内に、カムフォロア１を第１のカム溝４内に固定するピン１２のための中央孔１１をさらに備える。
【００４５】
図１はさらに、ズームレンズ２用のカムフォロアセットを示しており、カムフォロアセットは、カムフォロア１と、第１のカム溝４の下方の第２のカム溝１４内で転動するように構成されたローラ１３と、カムフォロア１およびローラ１３をズームレンズ２内で並進される光学素子１５に接続するピン１２とを備える。
【００４６】
全体として、図１は、本発明に係るカムフォロアの実施形態を備える、ズームレンズ２（すなわち、その一部）を示している。ズームレンズ２は、上述のようなカムフォロアセットを備える。
実施例２−横から見たカムフォロア
【００４７】
図２は、横から見た、本発明に係るカムフォロアの拡大図である。
【００４８】
カムフォロア１は、ズームレンズ２内の第１のカム溝４内を摺動するように構成された本体３を備え、本体３は、４つの側面（５ａ、５ｂ、５ｃ、５ｄ）、上面６、および底面７を含む直方体によって画定される。２つの第１の対向する側面（５ｂと５ｄ）は、２つの第１の円筒形セグメント（５ｂｂと５ｄｄ）（この図では、２つの第１の円筒形セグメントは側面と区別できない）に接続され、その結果、２つの第１の円筒形セグメント（５ｂｂと５ｄｄ）は、第１の対の表面（５ｂｂｂと５ｄｄｄ）を画定し、第１の対の表面（５ｂｂｂと５ｄｄｄ）の少なくとも一部は第１のカム溝４の側壁７ａ、７ｂと接触するように適合される。したがって、この場合、側壁と接触する第１の対の表面は、５ｂｂｂと５ｄｄｄである。
【００４９】
本体３は、直方体内に、カムフォロア１を第１のカム溝４内に固定するピン１２のための中央孔１１をさらに備える。したがって、図２はさらに、ズームレンズ２用のカムフォロアセットを示しており、カムフォロアセットは、カムフォロア１と、第１のカム溝４の下方の第２のカム溝１４内で転動するように構成されたローラ１３と、カムフォロア１およびローラ１３をズームレンズ２内で並進される光学素子１５に接続するピン１２とを備える。
【００５０】
全体として、図２は、本発明に係るカムフォロアの実施形態を備える、ズームレンズ２（すなわち、その一部）を示している。ズームレンズ２は、上述のカムフォロアセットを備える。
実施例３−上から見たカムフォロア
【００５１】
図３は、上から見た、本発明に係るズームレンズのカムフォロア１の一例を示す。カムフォロア１は、第１のカム溝４（この図には図示されていない）内で摺動するように構成された本体３を備える。
【００５２】
本体３は、４つの側面（５ａ、５ｂ、５ｃ、５ｄ）、上面６、および底面７を含む直方体によって画定される。この図には、上面６のみが示されている。
【００５３】
２つの第１の対向する側面（５ｂと５ｄ）は、２つの第１の円筒形セグメント（５ｂｂと５ｄｄ）（この図では、２つの第１の円筒形セグメント（５ｂｂと５ｄｄ）は、側面（５ｂと５ｄ）と区別するために誇張されている）に接続される。２つの第１の円筒形セグメント（５ｂｂと５ｄｄ）は、第１の対の表面（５ｂｂｂと５ｄｄｄ）を画定し、第１の対の表面（５ｂｂと５ｄｄ）の少なくとも一部は第１のカム溝４の側壁７ａ、７ｂと接触するように適合される。
【００５４】
２つの第１の円筒形セグメント（５ｂｂと５ｄｄ）は、第１の曲率半径Ｒ１（５ｄｄに対して半径Ｒ１を有する垂線で示されている）によって画定され、第１の曲率半径Ｒ１は、上面６の中心８ａから、直方体の角部でもあり、さらに４つの表面（５ａ、５ｂ、５ｃ、および５ｄ）によって画定された正方形の角部でもある上面６の角部（この場合、９ｃ）までの距離ｄより大きい。距離ｄは、傾斜した直線によって示されている。図から明らかなように、Ｒ１>ｄである。
【００５５】
さらに、２つの第２の対向する側面（この場合、表面５ａと５ｃ）は、２つの第２の２つの第２の円筒形セグメント５ａａと５ｃｃに接続され、その結果、２つの第２の円筒形セグメントは、第２の対の表面５ａａａと５ｃｃｃを画定し、第２の対の表面の一方５ｃｃｃは第１の端面を画定し、前記第１の端面の少なくとも一部は第１のカム溝４の第１の端壁１０と接触するように適合され（ここでは図示せず）、第２の対の表面の他方５ａａａは第２の端面を画定し、前記第２の端面の少なくとも一部は第１のカム溝４の第２の端壁（ここでは図示せず）と接触するように適合される。２つの第２の円筒形セグメント５ａａと５ｃｃは、第２の曲率半径Ｒ２によって画定され、第２の曲率半径Ｒ２は、上面の中心８ａから上面６の角部（この場合、９ｄ）までの距離ｄより大きい。
【００５６】
また、図３から分かるように、上面および底面に接続された４つの側面（５ａ、５ｂ、５ｃ、および５ｄ）の角部（９ａ、９ｂ、９ｃ、または９ｄ）は、ひいては上面および底面の角部も、共通の曲率半径で丸められる。
【００５７】
本発明のさらなる詳細は、以下の項目に記載されている。
項目
【００５８】
（項目１）ズームレンズ用のカムフォロアであって、カムフォロアは、ズームレンズ内の第１のカム溝内を摺動するように構成された本体であって、４つの側面、上面および底面を含む直方体によって画定された本体を備え、２つの第１の対向する側面は、２つの第１の円筒形セグメントに接続され、その結果、２つの第１の円筒形セグメントは、第１の対の表面を画定し、第１の対の表面の少なくとも一部は、第１のカム溝の側壁と接触するように適合され、２つの第１の円筒形セグメントは、第１の曲率半径によって画定され、第１の曲率半径は上面の中心から上面の角部までの距離より大きく、および／または第１の曲率半径は底面の中心から底面の角部までの距離より大きい、カムフォロア。
【００５９】
（項目２）ズームレンズ用のカムフォロアであって、カムフォロアは、ズームレンズ内の第１のカム溝内を摺動するように構成された本体であって、上面、底面、および２つの対の丸みを帯びた側面と含む本体を備え、対の丸みを帯びた側面の少なくとも一方の少なくとも一部は、第１のカム溝の側壁と接触するように適合され、本体の上面および／または底面に平行な本体の断面は、扇形である丸みを帯びた側面の各々によって画定され、第１の対の側面は、第１の曲率半径を有し、第２の対の側面は、第２の曲率半径を有し、第１の曲率半径は上面の中心から上面の角部までの距離より大きく、および／または第１の曲率半径は底面の中心から底面の角部までの距離より大きい、カムフォロア。
【００６０】
（項目３）第１の曲率半径は、ズームレンズが衝撃を受けた場合に、第１の対の表面の少なくとも一方が第１のカム溝の側壁の少なくとも一方との接触により変形し、第１の曲率半径が上面の中心から上面の角部までの距離以下であり、および／または底面の中心から底面の角部までの距離以下である場合よりも急速に、前記表面と第１のカム溝の側壁との接触面積が増加するように選択される、項目１〜項目２のいずれかに記載のカムフォロア。
【００６１】
（項目４）第１の曲率半径は、Ｒ１０ｍｍ〜Ｒ１００、好ましくはＲ３０ｍｍ〜Ｒ８０、より好ましくはＲ４０〜Ｒ６０、最も好ましくは約Ｒ５０である、項目１〜項目３のいずれかに記載のカムフォロア。
【００６２】
（項目５）２つの第２の対向する側面は、２つの第２の２つの第２の円筒形セグメントに接続され、その結果、２つの第２の円筒形セグメントは第２の対の表面を画定し、第２の対の表面の一方は第１の端面を画定し、前記第１の端面の少なくとも一部は第１のカム溝の第１の端壁と接触するように適合され、第２の対の表面の他方は第２の端面を画定し、前記第２の端面の少なくとも一部は第１のカム溝の第２の端壁と接触するように適合され、２つの第２の円筒形セグメントは、第２の曲率半径によって画定され、第２の曲率半径は上面の中心から上面の角部までの距離より大きく、および／または第２の曲率半径は底面の中心から底面の角部までの距離よりも大きい、項目１〜項目４のいずれかに記載のカムフォロア。
【００６３】
（項目６）第２の曲率半径は、ズームレンズが衝撃を受けた場合に、第２の対の表面の少なくとも一方が第１のカム溝の前記端壁の少なくとも一方との接触により変形し、第２の曲率半径が上面の中心から上面の角部までの距離以下であり、および／または第２の曲率半径が底面の中心から底面の角部までの距離以下である場合よりも急速に、前記表面と第１のカム溝の前記端壁との接触面積が増加するように選択される、項目５に記載のカムフォロア。
【００６４】
（項目７）第２の曲率半径は、Ｒ１０ｍｍ〜Ｒ１００、好ましくはＲ３０ｍｍ〜Ｒ８０、より好ましくはＲ４０〜Ｒ６０、最も好ましくは約Ｒ５０である、項目５〜項目６のいずれかに記載のカムフォロア。
【００６５】
（項目８）第１の曲率半径と第２の曲率半径は等しい、項目５〜項目７のいずれかに記載のカムフォロア。
【００６６】
（項目９）第１の対の表面および第２の対の表面は、閉面を形成し、閉面は、曲線長方形を形成する、より好ましくは曲線正方形を形成する曲線に追従する、項目１〜項目８のいずれかに記載のカムフォロア。
【００６７】
（項目１０）４つの側面の角部は、共通の曲率半径で丸められる、項目１〜項目９のいずれかに記載のカムフォロア。
【００６８】
（項目１１）共通の曲率半径は、ズームレンズが衝撃を受けた場合に、少なくとも１つの角部が第１のカム溝の側壁または端壁のうちの少なくとも一方との接触により変形し、角部が曲率を持たない場合よりも急速に、前記角部と第１のカム溝の前記端壁または前記側壁との接触面積が増加するように選択される、項目１０に記載のカムフォロア。
【００６９】
（項目１２）共通の曲率半径は、Ｒ０．１ｍｍ〜Ｒ１０ｍｍ、より好ましくはＲ１ｍｍ〜Ｒ２ｍｍ、最も好ましくは約Ｒ１．５ｍｍである、項目１０〜項目１１のいずれかに記載のカムフォロア。
【００７０】
（項目１３）本体は、鋼製、好ましくはステンレス鋼製、より好ましくはステンレス鋼３１６製である、項目１〜項目１２のいずれかに記載のカムフォロア。
【００７１】
（項目１４）第１の対の表面間および／または第２の対の表面間の距離は、２ｍｍ〜４０ｍｍである、項目１〜項目１３のいずれかに記載のカムフォロア。
【００７２】
（項目１５）直方体の２つの角部間の距離は、５ｍｍ〜６０ｍｍである、項目１〜項目１４のいずれかに記載のカムフォロア。
【００７３】
（項目１６）第１の対の側面は、第１のカム溝内で摺動するように適合され、第１のカム溝は直線状である、項目１〜項目１５のいずれかに記載のカムフォロア。
【００７４】
（項目１７）本体は、直方体内に、カムフォロアを第１のカム溝内で固定するピンのための中央孔をさらに備える、項目１〜項目１６のいずれかに記載のカムフォロア。
【００７５】
（項目１８）ズームレンズ用カムフォロアセットであって、項目１に記載のカムフォロアと、第１のカム溝の下方の第２のカム溝内を転動するように構成されたローラと、カムフォロアおよびローラをズームレンズ内で並進される光学素子に接続するピンとを備える、カムフォロアセット。
【００７６】
（項目１９）項目１〜項目１８のいずれかに記載のカムフォロアを備える、ズームレンズ。
【００７７】
（項目２０）項目１８に記載のカムフォロアセットをさらに備える、項目１９に記載のズームレンズ。
【００７８】
（項目２１）光学素子は、複数のカムセット、最も好ましくは３つのカムセットに接続される、項目１９に記載のズームレンズ。
【００７９】
（項目２２）ズームレンズは、直線状カム溝を備える第１のバレルと、第１のバレルの内側に配置された第２のバレルであって、曲線状カム溝を備える第２のバレルとを備える、項目１９〜項目２１のいずれかに記載のズームレンズ。
【図１】
2021504769.tif 000003
【図２】
2021504769.tif 000004
【図３】
2021504769.tif 000005
【国際調査報告】
2021504769.tif 000006
2021504769.tif 000007